(57)【要約】      （修正有）【課題】安価で小型軽量かつテレセントリック性が良好で高性能な、結像レンズを提供する。【解決手段】  物体側より順に絞りと単レンズから構成され、単レンズの物体側の面を第１面、像側の面を第２面とすると、第１面及び第２面ともに近軸曲率が凸面であり、さらに該レンズの第１面及び第２面ともに非球面の形状を有し、以下の条件を満足する結像レンズ。１.２＜TLA／ｆ＜１.５０.６＜R１／ｆ＜１.００.４＜Ｄ１／ｆ＜０.８０.１＜Ｄ０／ｆ＜０.３ν１＞４０ただし、TLA：単レンズの第１面から結像面までの空気長換算距離ｆ：単レンズの焦点距離R１：単レンズの第１面の近軸曲率半径D１：軸上における単レンズの厚さD０：軸上における絞りから第１面までの距離ν１：単レンズを構成する材料のアッベ数。【選択図】図１
2006010990.tif 000002
【特許請求の範囲】
【請求項１】
物体側より順に絞りと単レンズから構成され、単レンズの物体側の面を第１面、像側の面を第２面とすると、第１面及び第２面ともに近軸曲率が凸面であり、さらに該レンズの第１面及び第２面ともに非球面の形状を有し、以下の条件を満足することを特徴とする結像レンズ。
１.２＜TLA／ｆ＜１.５
０.６＜R１／ｆ＜１.０
０.４＜Ｄ１／ｆ＜０.８
０.１＜Ｄ０／ｆ＜０.３
ν１＞４０
ただし、
TLA：単レンズの第１面から結像面までの空気長換算距離
ｆ：単レンズの焦点距離
R１：単レンズの第１面の近軸曲率半径
D１：軸上における単レンズの厚さ
D０：軸上における絞りから第１面までの距離
ν１：単レンズを構成する材料のアッベ数
【請求項２】
請求項１において、第１面及び第２面の非球面の曲率半径が、少なくとも一度は近軸曲率半径より大きくなることを特徴とする結像レンズ。
【請求項３】
請求項１または２において、レンズを構成する材料として樹脂を用いることを特徴とする結像レンズ。
【発明の詳細な説明】
【技術分野】
【０００１】
本発明は、結像レンズに係り、詳しくは物体側より順に絞り、単レンズで構成された結像レンズであり、特に小型ＣＣＤ、ＣＭＯＳ等の受光素子を感光体として用いたデジタルカメラ用等に良好な性能が得られる結像レンズに関する。
【背景技術】
【０００２】
近年、電子撮影機器は、極端な小型化、軽量化、低コスト化の要求が高いため、撮影用レンズにも極端に小型で低コストのレンズが望まれている。特に携帯電話用やモバイル用のモニターレンズに関しては、撮像面からレンズの第１面まで非常に短い光学長が要求されるとともに、撮像素子の小型化にともなって、イメージセンサーのサイズが小さくなる傾向にあり、レンズも極端な縮小化を要求されている。
【０００３】
固体撮像素子を利用した、電子撮影機器用の撮像用結像レンズとしては、２群２枚のレンズで比較的解像力の良いレンズ系が提案されているが、光学長が十分に短いとはいえず、小型化の要求を満たしていないのが現状である。
【０００４】
このような小型化の要求を満たすために、単レンズで構成されたレンズ系が知られている。物体から順に、絞りと像側に凸面を向けた正のメニスカス形状のレンズと絞りで構成され、少なくともレンズの一方の面が非球面である単レンズであり、レンズ収差の補正を行なった単レンズ（例えば特許文献１参照）や、物体から順に、絞りと物体側に平面を向けると共に像側に凸面を向けた正のパワーを持つ平凸レンズと絞りで構成され、平凸レンズの像面側が、非球面である単レンズであり、低コスト化をし得る単レンズ（例えば特許文献２参照）や、物体から順に、絞りと正のメニスカス形状のレンズで構成され、レンズは物体側より非球面からなる第１面、屈折率が第１面より強く、像側に凸面を向けた非球面からなる第２面よりなる単レンズであり、テレセントリック性が良好で、より球面収差等のレンズ収差を補正しやすい単レンズ（例えば特許文献３参照）が技術開示されている。しかしながら、どれも比較的大きな歪曲収差が残ってしまうという問題があった。
【特許文献１】特開２００１−２９６４７３号公報
【特許文献２】特開２００３−５０３１号公報
【特許文献３】特開２００２−９８８８５号公報
【発明の開示】
【発明が解決しようとする課題】
【０００５】
今後、電子撮像機器が小型化、高画質化するに伴い、これに使用されるレンズ系は、短光学長であり、レンズ収差がより少なく、テレセントリック性が良く、より低コストであることが望まれる。
本発明はＦ値２.８程度の明るさを持ちながら、１群１枚構成と少ないレンズ枚数で構成され、レンズ収差に関しては軸上では球面収差、軸外では特に歪曲収差を補正され、レンズにプラスチックの使用も可能であり、安価で小型軽量かつテレセントリック性が良好な電子撮影機器用に好適な結像レンズを提供することを目的とする。
【課題を解決するための手段】
【０００６】
本発明者は前記目的を達成するために鋭意研究を重ねた結果、絞り位置を物体側とし、第１面、第２面とも近軸曲率が凸面をもつレンズからなり、さらに第１面、第２面とも非球面の形状を有し、且つ特定の条件を備えた結像レンズが軸上では球面収差、軸外では特に歪曲収差が補正され、テレセントリック性が良好であることを見出した。
本発明はかかる知見に基づいて完成したものである。
すなわち、本発明は、
（１）物体側より順に絞りと単レンズから構成され、単レンズの物体側の面を第１面、像側の面を第２面とすると、第１面及び第２面ともに近軸曲率が凸面であり、さらに該レンズの第１面及び第２面ともに非球面の形状を有し、以下の条件を満足することを特徴とする結像レンズ。
１.２＜TLA／ｆ＜１.５          式[１]
０.６＜R１／ｆ＜１.０          式[２]
０.４＜Ｄ１／ｆ＜０.８          式[３]
０.１＜Ｄ０／ｆ＜０.３          式[４]
ν１＞４０          式[５]
ただし、
TLA：単レンズの第１面から結像面までの空気長換算距離
ｆ：単レンズの焦点距離
R１：単レンズの第１面の近軸曲率半径
D１：軸上における単レンズの厚さ
D０：軸上における絞りから第１面までの距離
ν１：単レンズを構成する材料のアッベ数
（２）上記（１）項において、第１面及び第２面の非球面の曲率半径が、少なくとも一度は近軸曲率半径より大きくなることを特徴とする結像レンズ。
（３）上記（１）または（２）項において、単レンズの構成する材料として樹脂を用いることを特徴とする結像レンズ。
を提供するものである。
【発明の効果】
【０００７】
本発明によれば、絞りと単レンズで構成され、安価で小型軽量かつテレセントリック性が良好で高性能な、電子撮影機器用に好適な結像レンズを提供することができる。
【発明を実施するための最良の形態】
【０００８】
以下に、本発明の実施の形態を説明する。
本発明の結像レンズは絞りと単レンズから構成されている。
まず本発明に用いる単レンズについて説明する。単レンズは単レンズの物体側の面を第１面、像側の面を第２面とすると、第１面及び第２面ともに近軸曲率が凸面であるレンズである。さらに単レンズは第１面及び第２面ともに非球面を有するものである。単レンズの第１面の近軸曲率半径であるＲ１は式[２]を満たすものであり、式[２]の下限値に満たないと軸外コマ収差およびテレセントリック性が悪化し、上限値を超えると光学長が長くなる。また、第２面の近軸曲率半径であるＲ２及び第２面の非球面は軸外光束に対する歪曲収差、像面湾曲を補正する効果がある。
軸上における単レンズの厚さであるＤ１は式[３]を満たすものであり、式[３]の下限値に満たないと歪曲収差、像面湾曲の補正が困難となり、上限値を超えると単レンズの厚さが過大となり製造上の問題が出る。
好ましくは単レンズの第１面及び第２面の非球面の曲率半径が、少なくとも一度は近軸曲率半径より大きくなる形状を有するものである。単レンズの第１面及び第２面の非球面の曲率半径が、少なくとも一度は近軸曲率半径より大きくなることが特に球面収差および歪曲収差をより良好に補正しやすい結像レンズの条件となる。特に好ましくは、単レンズの第１面は物体側に凸の非球面であり、第1面の非球面の曲率半径が、少なくとも一度は近軸曲率半径より大きくなる形状を有するものであり、かつ、単レンズの第２面は近軸では像側に凸の形状であり、第２面の非球面の曲率半径が、一度は近軸曲率半径より大きくなった後、軸上から離れた部分では像側に凹の形状を有するものである。単レンズの第１面の非球面は近軸曲率半径を大きくすると発生する球面収差、コマ収差をより良好に補正し、第２面の非球面は軸外光束に対する歪曲収差、像面湾曲をより良好に補正する効果がある。
【０００９】
単レンズを構成する材料としては式[５]を満たすものである。好ましくは樹脂を使用することである。樹脂を使用することにより、コストの低減および量産化に優れた結像レンズとなる。
単レンズを構成する材料のアッベ数は式[５]で規定しており、式[５]に満たないと色収差、特に軸外倍率色収差が悪化する。
単レンズに使用する樹脂は式[５]を満たしていれば特に制限はなく、例えば、脂環式構造を有する重合体、ポリメチルメタクリレート、ポリカーボネートなどの樹脂が挙げられる。これらの中でも低吸湿性による寸法安定性、軽量性の観点から脂環式構造を有する重合体が好ましい。脂環式構造を有する重合体としては（１）ノルボルネン系重合体、（２）単環の環状オレフィン系重合体、（３）環状共役ジエン系重合体、（４）ビニル脂環式炭化水素重合体、及びこれらの水素添加物などが挙げられる。これらの中でも、透明性、成形性の観点からノルボルネン系重合体がより好ましい。
【００１０】
次に本発明の結像レンズにおける、物体側から像側までの単レンズと絞りの位置関係について光学系を含めて説明する。本発明では物体側より順に絞りと単レンズで構成されている。絞り位置を物体側とすることで射出瞳位置を遠くし、受光素子に対して垂直に入射するテレセントリック光学系となりやすくしている。
単レンズの第１面から結像面までの距離であるTLAは式[１]を満たすものである。下限値に満たないと軸外収差が悪化し、上限値を超えると光学長が長くなる。
軸上における絞りから第１面までの距離であるＤ０については式[４]を満たすものである。式[４]では下限値に満たないと適切な厚さの絞りが形成困難になり、上限値を超えると絞り位置を含めた全長が大きくなり、また周辺光量が低下する。
【００１１】
以上により、安価で小型軽量、かつテレセントリック性が良好で、軸上では球面収差、軸外では主に歪曲収差を補正しやすい、Ｆ値２.８程度に明るく、撮像全画角が５０°程度に大きく取れる結像レンズになる。
【実施例】
【００１２】
本発明を、実施例を示しながら、さらに詳細に説明するが、本発明は以下の実施例のみに限定されるものではない。
実施例において、非球面の形状は、光軸方向にｘ軸をとり、光軸と垂直方向にｙ軸をとり、Ｋ、A4、A6、A8、A10、A12及びA14を非球面係数として式[６]で表している。また、Ｆ値は２．８である。
【００１３】
【数６】
2006010990.tif 000003
【００１４】
また、一般的にレンズと像の間にカバーガラスを配置しているので、以下の各実施例において、物体側より順に絞り、単レンズ、カバーガラスにて構成される配置とした。
【００１５】
(実施例１)
図１はこの発明に係る結像レンズの実施例を示したものである。単レンズの構成する材料にガラス[HOYA（株）製BACD５]を使用した。単レンズのＲ１／ｆ、Ｒ２／ｆ、ｄ線の屈折率Ｎｄ、アッベ数ν１及び焦点距離fは以下の通りである。ここでＲ２は単レンズの第２面の近軸曲率半径である。
Ｒ１／ｆ＝０．７9２７（ｍｍ／ｍｍ）
Ｒ２／ｆ＝―１．５７４８（ｍｍ／ｍｍ）
Ｎｄ＝１．５８９１３
ν１＝６１．２５
ｆ＝２．１６７（ｍｍ）
また、単レンズの非球面係数を表１に示す。
【００１６】
【表１】
2006010990.tif 000004
【００１７】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００１８】
単レンズＬとカバーガラスＣＧ及び絞りＡ１をそれぞれ表２に示す配置にした。D０は軸上における絞りから第１面までの距離、Ｄ１は軸上における単レンズの厚さ、Ｄ２は軸上における第２面からカバーガラスの物体側面までの距離、Ｄ３カバーガラスの厚さ、及びＤ４は軸上におけるカバーガラスの像側面から像側焦平面までの距離である。
【００１９】
【表２】
2006010990.tif 000005
【００２０】
以下に、本実施例での請求項１に示す条件式の値を示す。
１.２＜TLA／ｆ＜１.５という条件式ではTLA／ｆ = １．３６０
０.６＜R１／ｆ＜１.０という条件式ではR１／ｆ = ０．７９２７
０.４＜Ｄ１／ｆ＜０.８という条件式ではＤ１／ｆ = ０．６７０６
０.１＜Ｄ０／ｆ＜０.３という条件式ではＤ０／ｆ = ０．２２４５
ν１＞４０という条件式ではν１ = ６１．２５
以上のように本実施例では請求項１の請求範囲を満たす結像レンズとした。
【００２１】
図２は本実施例での収差図を示したものである。球面収差、非点収差ともに±０．２％以内であり、且つ歪曲収差が±５．０％以内となり、非常に収差の少ない結果となった。
【００２２】
（実施例２）
図３はこの発明に係る結像レンズの実施例を示したものである。単レンズの構成する材料にノルボルネン系重合体[日本ゼオン（株）製、ZEONEX480R]を使用した。単レンズのＲ１／ｆ、Ｒ２／ｆ、ｄ線の屈折率Ｎｄ、アッベ数ν１及び焦点距離fは以下の通りである。
Ｒ１／ｆ＝０．７２４２（ｍｍ／ｍｍ）
Ｒ２／ｆ＝―１．３９２２（ｍｍ／ｍｍ）
Ｎｄ＝１．５２４７
ν１＝５６
ｆ＝２．２６４（ｍｍ）
また、単レンズの非球面係数を表３に示す。
【００２３】
【表３】
2006010990.tif 000006
【００２４】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００２５】
単レンズＬとカバーガラスＣＧ及び絞りＡ１をそれぞれ表４に示す配置にした。D０は軸上における絞りから第１面までの距離、Ｄ１は軸上における単レンズの厚さ、Ｄ２は軸上における第２面からカバーガラスの物体側面までの距離、Ｄ３カバーガラスの厚さ、及びＤ４は軸上におけるカバーガラスの像側面から像側焦平面までの距離である。
【００２６】
【表４】
2006010990.tif 000007
【００２７】
以下に、本実施例での請求項１に示す条件式の値を示す。
１.２＜TLA／ｆ＜１.５という条件式ではTLA／ｆ＝１．３００
０.６＜R１／ｆ＜１.０という条件式ではR１／ｆ＝０．７２４２ 
０.４＜Ｄ１／ｆ＜０.８という条件式ではＤ１／ｆ =０．５６６５
０.１＜Ｄ０／ｆ＜０.３という条件式ではＤ０／ｆ = ０．２１０３
ν１＞４０という条件式ではν１ = ５６
以上のように本実施例では請求項１の請求範囲を満たす結像レンズとした。
【００２８】
図４は本実施例での収差図を示したものである。単レンズの構成する材料として樹脂をもちいても、球面収差、非点収差ともに±０．２％以内であり、且つ歪曲収差が±５．０％以内となり、非常に収差の少ない結果となった。
【００２９】
（実施例３）
図５はこの発明に係る結像レンズの実施例を示したものである。単レンズの構成する材料にノルボルネン系重合体[日本ゼオン（株）製、ZEONEX480R]を使用した。単レンズのＲ１／ｆ、Ｒ２／ｆ、ｄ線の屈折率Ｎｄ、アッベ数ν１及び焦点距離fは以下の通りである。
Ｒ１／ｆ＝０．７７７６（ｍｍ／ｍｍ）
Ｒ２／ｆ＝―１．１６１６（ｍｍ／ｍｍ）
Ｎｄ＝１．５２４７
ν１＝５６
ｆ＝２．１２（ｍｍ）
また、単レンズの非球面係数を表５に示す。
【００３０】
【表５】
2006010990.tif 000008
【００３１】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００３２】
本実施例では請求項１の請求範囲内で実施例２と異なる配置とした。具体的には単レンズＬとカバーガラスＣＧ及び絞りＡ１をそれぞれ表６に示す配置にした。D０は軸上における絞りから第１面までの距離、Ｄ１は軸上における単レンズの厚さ、Ｄ２は軸上における第２面からカバーガラスの物体側面までの距離、Ｄ３カバーガラスの厚さ、及びＤ４は軸上におけるカバーガラスの像側面から像側焦平面までの距離である。
【００３３】
【表６】
2006010990.tif 000009
【００３４】
以下に、本実施例での請求項１に示す条件式の値を示す。
１.２＜TLA／ｆ＜１.５という条件式ではTLA／ｆ = １．３５６
０.６＜R１／ｆ＜１.０という条件式ではR１／ｆ = ０．７７７６
０.４＜Ｄ１／ｆ＜０.８という条件式ではＤ１／ｆ =０．６３２５
０.１＜Ｄ０／ｆ＜０.３という条件式ではＤ０／ｆ =０．２３３３
ν１＞４０という条件式ではν１ = ５６
以上のように本実施例では請求項１の請求範囲を満たす結像レンズとした。
【００３５】
図6は本実施例での収差図を示したものである。球面収差、非点収差ともに±０．２％以内であり、且つ歪曲収差が±５．０％以内となり、非常に収差の少ない結果となった。
【００３６】
(実施例４)
図７はこの発明に係る結像レンズの実施例を示したものである。単レンズの構成する材料にノルボルネン系重合体[日本ゼオン（株）製、ZEONEX480R]を使用した。単レンズのＲ１／ｆ、Ｒ２／ｆ、ｄ線の屈折率Ｎｄ、アッベ数ν１及び焦点距離fは以下の通りである。
Ｒ１／ｆ＝０．８０２３（ｍｍ／ｍｍ）
Ｒ２／ｆ＝―１．１００５（ｍｍ／ｍｍ）
Ｎｄ＝１．５２４７
ν１＝５６
ｆ＝２．１６９（ｍｍ）
また、単レンズの非球面係数を表７に示す。
【００３７】
【表７】
2006010990.tif 000010
【００３８】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００３９】
単レンズＬとカバーガラスＣＧ及び絞りＡ１をそれぞれ表8に示す配置にした。本実施例では実施例１〜３で使用したカバーレンズよりも薄いカバーガラスを使用した。D０は軸上における絞りから第１面までの距離、Ｄ１は軸上における単レンズの厚さ、Ｄ２は軸上における第２面からカバーガラスの物体側面までの距離、Ｄ３カバーガラスの厚さ、及びＤ４は軸上におけるカバーガラスの像側面から像側焦平面までの距離である。
【００４０】
【表８】
2006010990.tif 000011
【００４１】
以下に、本実施例での請求項１に示す条件式の値を示す。
１.２＜TLA／ｆ＜１.５という条件式ではTLA／ｆ = １．２８２
０.６＜R１／ｆ＜１.０という条件式ではR１／ｆ = ０．８０２３
０.４＜Ｄ１／ｆ＜０.８という条件式ではＤ１／ｆ = ０．６３９４
０.１＜Ｄ０／ｆ＜０.３という条件式ではＤ０／ｆ =０．２４２
ν１＞４０という条件式ではν１ = ５６
以上のように本実施例では請求項１の請求範囲を満たす結像レンズとした。
【００４２】
図８は本実施例での収差図を示したものである。球面収差、非点収差ともに±０．２％以内であり、且つ歪曲収差が±５．０％以内となり、非常に収差の少ない結果となった。
【００４３】
(実施例５)
図９はこの発明に係る結像レンズの実施例を示したものである。単レンズの構成する材料にポリメチルメタクリレート[スミペックスＭＧ５、住友化学社製]を使用した。単レンズのＲ１／ｆ、Ｒ２／ｆ、ｄ線の屈折率Ｎｄ、アッベ数ν１及び焦点距離fは以下の通りである。
Ｒ１／ｆ＝０．７６３０（ｍｍ／ｍｍ）
Ｒ２＝―０．９９３５（ｍｍ／ｍｍ）
Ｎｄ＝１．４９２
ν１＝５６
ｆ＝２．１９９（ｍｍ）
また、単レンズの非球面係数を表９に示す。
【００４４】
【表９】
2006010990.tif 000012
【００４５】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００４６】
単レンズＬとカバーガラスＣＧ及び絞りＡ１をそれぞれ表１０に示す配置にした。D０は軸上における絞りから第１面までの距離、Ｄ１は軸上における単レンズの厚さ、Ｄ２は軸上における第２面からカバーガラスの物体側面までの距離、Ｄ３カバーガラスの厚さ、及びＤ４は軸上におけるカバーガラスの像側面から像側焦平面までの距離である。
【００４７】
【表１０】
2006010990.tif 000013
【００４８】
以下に、本実施例での請求項１に示す条件式の値を示す。
１.２＜TLA／ｆ＜１.５という条件式ではTLA／ｆ =１．３７４
０.６＜R１／ｆ＜１.０という条件式ではR１／ｆ =０．７６３
０.４＜Ｄ１／ｆ＜０.８という条件式ではＤ１／ｆ =０．６５４２
０.１＜Ｄ０／ｆ＜０.３という条件式ではＤ０／ｆ =０．２１５６
ν１＞４０という条件式ではν１ = ５６
以上のように本実施例では請求項１の請求範囲を満たす結像レンズとした。
【００４９】
図１０は本実施例での収差図を示したものである。球面収差、非点収差ともに±０．２％以内であり、且つ歪曲収差が±５．０％以内となり、非常に収差の少ない結果となった。
【００５０】
(比較例１)
図１１は比較例を示したものである。単レンズの構成する材料にノルボルネン系重合体[日本ゼオン（株）製、ZEONEX480R]を使用した。単レンズは像側に凸面を向けた正のパワーを持つ平凸レンズとした。よって単レンズの第１面は平面となる。Ｒ２／ｆ、ｄ線の屈折率Ｎｄ、アッベ数ν１及び焦点距離fは以下の通りである。
Ｒ２／ｆ＝―０．５３３３（ｍｍ／ｍｍ）
Ｎｄ＝１．５２４７
ν１＝５６
ｆ＝１．５０９（ｍｍ）
また、単レンズの非球面係数を表１１に示す。
【００５１】
【表１１】
2006010990.tif 000014
【００５２】
カバーガラスはガラス[HOYA（株）製ＢＫ−７]を使用し、平面のものを用いた。カバーガラスの屈折率Ｎ及びアッベ数ν２は以下の通りである。
Ｎｄ＝１．５１６３３
ν２＝６４．１５
【００５３】
単レンズＬとカバーガラスＣＧ及び絞りＡ１、Ａ２をそれぞれ表１２に示す配置にした。D０は軸上における絞りＡ１から第１面までの距離、Ｄ１は軸上における単レンズの厚さ、Ｄ２は軸上における第２面から絞りＡ２までの距離、Ｄ３は軸上における絞りA2からカバーガラスの物体側までの距離、Ｄ４はカバーガラスの厚さ、及びＤ５は軸上におけるカバーガラスの像側面から像側焦平面までの距離である。
【００５４】
【表１２】
2006010990.tif 000015
【００５５】
以下に、本比較例での請求項１に示す条件式の値を示す。
１.２＜TLA／ｆ＜１.５という条件式ではTLA／ｆ =１．７１９８
０.６＜R１／ｆ＜１.０という条件式ではR１／ｆ =０
０.４＜Ｄ１／ｆ＜０.８という条件式ではＤ１／ｆ =０．６
０.１＜Ｄ０／ｆ＜０.３という条件式ではＤ０／ｆ =０
ν１＞４０という条件式ではν１ = ５６
以上のように本比較例では請求項１の請求範囲とは明らかに異なる結像レンズとした。
【００５６】
図１２は本実施例での収差図を示したものである。図１２の結果から以下のことがわかる。
実施例に示すように、本発明の結像レンズは、球面収差、非点収差に優れ、且つ歪曲収差が特に優れている。
一方、（比較例１）は、球面収差、非点収差ともに±０．２％以内であるが、歪曲収差が±１０．０％の範囲を超え、大きな歪曲収差が残る結果となった。
【図面の簡単な説明】
【００５７】
【図１】図１は、実施例１のレンズ断面図である。
【図２】図２は、実施例１の球面収差、非点収差、および歪曲収差である。
【図３】図3は、実施例2のレンズ断面図である。
【図４】図４は、実施例２の球面収差、非点収差、および歪曲収差である。
【図５】図５は、実施例３のレンズ断面図である。
【図６】図６は、実施例３の球面収差、非点収差、および歪曲収差である。
【図７】図７は、実施例４のレンズ断面図である。
【図８】図８は、実施例４の球面収差、非点収差、および歪曲収差である。
【図９】図９は、実施例５のレンズ断面図である。
【図１０】図１０は、実施例５の球面収差、非点収差、および歪曲収差である。
【図１１】図１１は、比較例１のレンズ断面図である。
【図１２】図１２は、比較例１の球面収差、非点収差、および歪曲収差である。
【符号の説明】
【００５８】
Ａ１、Ａ２  絞り
Ｌ  単レンズ
ＣＧ  カバーガラス
ω  撮像半画角（２ω  撮像全画角）
Ｓ  サジタル平面
Ｍ  メリジオナル平面
【図１】
2006010990.tif 000016
【図２】
2006010990.tif 000017
【図３】
2006010990.tif 000018
【図４】
2006010990.tif 000019
【図５】
2006010990.tif 000020
【図６】
2006010990.tif 000021
【図７】
2006010990.tif 000022
【図８】
2006010990.tif 000023
【図９】
2006010990.tif 000024
【図１０】
2006010990.tif 000025
【図１１】
2006010990.tif 000026
【図１２】
2006010990.tif 000027